(57)【要約】【課題】把手にコップ本体の重心よりも下方に位置する係止部を設けることにより、洗った直後のコップの水切りが、水切り棚、水切りトレイ等を使用することなく簡便に行なえるようにする。【解決手段】コップ本体（１１）の側部に指が掛かる把手（１２）を設け、該把手（１２）はその上端部（１２ｃ）がコップ本体（１１）の上部に結合され、その中間部がコップ本体（１１）の側部から離間して下方に向かって延出し、その下端部（１２ｄ）がコップ本体（１１）の重心よりも下方に位置するコップ本体（１１）の下部に結合され、前記把手（１２）であって、かつコップ本体（１１）の重心（Ｇ１）よりも下方に位置する下部に、小径で湾曲する係止部（１２ｂ）を設ける。【選択図】図３
2006014912.tif 000002
【特許請求の範囲】
【請求項１】
コップ本体（１１）の側部に指が掛かる把手（１２）を設け、該把手（１２）はその上端部（１２ｃ）がコップ本体（１１）の上部に結合され、その中間部がコップ本体（１１）の側部から離間して下方に向かって延出し、その下端部（１２ｄ）がコップ本体（１１）の重心よりも下方に位置するコップ本体（１１）の下部に結合され、前記把手（１２）であって、かつコップ本体（１１）の重心（Ｇ１）よりも下方に位置する下部に、小径で湾曲する係止部（１２ｂ）を設けたことを特徴とするコップの把手。
【請求項２】
把手（１２）は、コップ本体（１１）の上部側に円弧中心を有する上部円弧部（１２ａ）と、コップ本体（１１）の重心（Ｇ１）よりも下方に位置するコップ本体（１１）の下部側に円弧中心を有する下部円弧部（１２ｂ）とからなる側面視「３」形に形成するとともに、前記下部円弧部（１２ｂ）を係止部としたことを特徴とする請求項１記載のコップの把手。
【請求項３】
把手（１７）は、コップ本体（１６）の上部側に円弧中心を有する上部円弧部（１７ａ）と、コップ本体（１６）の重心（Ｇ２）よりも下方に位置するコップ本体（１６）の下部側を中心として外向きに湾曲する下部円弧部（１７ｂ）とからなる側面視倒立Ｓ形に形成するとともに、前記下部円弧部（１７ｂ）を係止部としたことを特徴とする請求項１記載のコップの把手。
【発明の詳細な説明】
【技術分野】
【０００１】
本発明は、コーヒー、お茶、ジュース等を入れて飲むコップに関し、特にコップの把手に関するするものである。
【背景技術】
【０００２】
従来のコップの把手は、図４、あるいは図５に示すようになっていた。まず、図４において、１はコップであり、周壁が二重構造になったコップ本体２の側部に把手３を一体的に固着してなる。該把手３は外側方に向かって半円弧状に湾曲され、その上端３ａがコップ本体２の上側部に固着され、その下端３ｂがコップ本体２の下側部に固着されている。また、図５において、４はコップであり、コップ本体５の側部に把手６を一体的に固着してなる。該把手６は外側上方に向けて異形円弧状に湾曲され、その上端６ａがコップ本体３の上側部に固着され、その下端６ｂがコップ本体５の下側部に固着されている。
【０００３】
上記コップ１，４は、図４、図５に示すように、その把手３，６の湾曲頂部３ｃ，６ｃが、コップ本体２、５の重心Ｇ１，Ｇ２よりも上方に位置していた。このため、図６に示すように、流し台７の上方に位置する水切り棚８の前部にフック形の掛け具９を取付け、該掛け具９に洗った直後のコップ１，４の把手３，６を引っ掛けると、コップ本体２，５の口部２ａ，５ａが水平線Ｌに対して上向きとなり、コップ本体２，５内の水切りができないものであった。
【０００４】
そのため、従来は、洗った直後のコップ１，４を倒立させて水切り棚８、あるいは水切りトレイに載置するか、または洗ったコップ１，４を布巾で拭いて食器棚に格納すようにしていた。これは、水切り棚８、水切りトレイの載置面積が少なくっなって他の食器が載置できなくなったり、布巾で拭く場合は、手数が掛かるとともにコップ本体２，３内に塵埃等が付着して不衛生になったりするものであった。
【特許文献１】特開２００３−１９０６４号公報
【発明の開示】
【発明が解決しようとする課題】
【０００５】
本発明は、把手にコップ本体の重心よりも下方に位置する係止部を設けることにより、洗った直後のコップの水切りが、水切り棚、水切りトレイを使用することなく簡便に行なえるようにしたものである。
【課題を解決するための手段】
【０００６】
請求項１に係る発明は、コップ本体の側部に指が掛かる把手を設け、該把手はその上端部がコップ本体の上部に結合され、その中間部がコップ本体の側部から離間して下方に向かって延出し、その下端部がコップ本体の重心よりも下方に位置するコップ本体の下部に結合され、前記把手であって、かつコップ本体の重心よりも下方に位置する下部に、小径で湾曲する係止部を設ける構成にしたものである。
請求項２に係る発明は、前記把手を、コップ本体の上部側に円弧中心を有する上部円弧部と、コップ本体の重心よりも下方に位置するコップ本体の下部側に円弧中心を有する下部円弧部とからなる側面視「３」形に形成するとともに、前記下部円弧部を係止部としたものである。
請求項３に係る発明は、前記把手を、コップ本体の上部側に円弧中心を有する上部円弧部と、コップ本体の重心よりも下方に位置するコップ本体の下部側を中心として外向きに湾曲する下部円弧部とからなる側面視倒立Ｓ形に形成するとともに、前記下部円弧部を係止部としたものである。
【発明の効果】
【０００７】
請求項１に係る発明は、把手の係止部を、載置棚あるいは水切り棚等に取り付けたフック、掛けピン等の掛け具に引っ掛けると、コップ本体の口部が水平線に対して下向きとなり、該コップ本体内に付着した水滴が自重により外部に排出され、乾燥が円滑に行なわれることになる。
請求項２に係る発明は、把手の中間部を局部的にコップ本体方向に湾曲させて係止部を形成するようにしたので、製作が容易となる。
請求項３に係る発明は、把手の下端部を外向きに湾曲させてフック形の係止部を形成したので、載置棚あるいは水切り棚等に取り付けた掛け具への掛け外しが容易となる。
【発明を実施するための最良の形態】
【０００８】
以下本発明の実施の形態を図面に基いて説明する。図面において、図１は本発明の第１実施例を示す側面図、図２は本発明の第２実施例を示す側面図、図３は本発明によるコップの掛け具への引っ掛け状態を示す正面図である。
【０００９】
図１において、１０はコップであり、コップ本体１１の側部に把手１２を一体的に固着してなる。該把手１２は上部側に上部円弧部１２ａを、下部側に下部円弧部１２ｂを一体に有する側面視「３」形に形成し、上端部１２ｃをコップ本体１１の上側部に、下端部１２ｄをコップ本体１１の下側部にそれぞれ固着する。上部円弧部１２ａはコップ本体１１の上部側にて大径で外側上方に向けて湾曲させ、該上部円弧部１２ａを指の掛かる指掛け部とする。また、下部円弧部１２ｂはコップ本体１１の重心Ｇ１よりも下方に位置するコップ本体１１の下部側にて小径で外側方に向けて湾曲させ、該下部円弧部１２ｂを掛け具９の掛かる係止部とする。
【００１０】
図２において、１５はコップであり、コップ本体１６の側部に把手１７を一体的に固着してなる。該把手１７は上部側に上部円弧部１７ａを、下部側に外向きに湾曲する下部円弧部１７ｂを一体に有する側面視倒立Ｓ形に形成し、上端部１７ｃをコップ本体１６の上側部に、下部円弧部１７ｂの背面部１７ｄをコップ本体１６の下側部にそれぞれ固着する。上部円弧部１７ａはコップ本体１６の上部側にて大径で外側上方に向けて湾曲させ、該上部円弧部１７ａを指の掛かる指掛け部とする。また、下部円弧部１７ｂはコップ本体１６の重心Ｇ２よりも下方に位置するコップ本体１６の下部側にて小径で外向きに湾曲させ、該下部円弧部１７ｂを掛け具９の掛かる係止部とする。
【００１１】
上記実施例によれば、コップ１０，１５は、把手１２，１７の下部円弧部１２ｂ，１７ｂの湾曲頂部Ｐ１、湾曲外端部Ｐ２が、図１、図２に示すように、それぞれコップ本体１０，１５の重心Ｇ１，Ｇ２よりも下方に位置することになる。このため、図３に示すように、流し台７の上方に位置する水切り棚８の前部にフック形の掛け具９を取付け、該掛け具９に洗った直後のコップ１０，１５を、その把手１２，１７の下部円弧部１２ｂ、１７ｂを引っ掛けると、コップ本体１１，１６の口部１１ａ，１６ａが水平線Ｌに対して下向きとなり、コップ本体１１，１６内の水切りが円滑に行なわれることになる。
【００１２】
これにより、洗った直後のコップ１０，１５を倒立させて水切り棚８、あるいは水切りトレイに載置する必要がなくなり、水切り棚８、水切りトレイに他の食器をより多く載置することがてきる。また、掛け具９に引っ掛ける係止部、即ち下部円弧部１２ｂ、１７ｂは、把手１２，１７の一部を湾曲させて形成するようにしたので、製作が容易となる。特に、図２に示すように、把手１７の下端部を外向きに湾曲させてフック形の係止部（下部円弧部１７ｂ）を形成すると、上記掛け具９への掛け外しが容易となる。
【図面の簡単な説明】
【００１３】
【図１】本発明の第１実施例を示す側面図である。
【図２】本発明の第２実施例を示す側面図である。
【図３】本発明によるコップの掛け具への引っ掛け状態を示す正面図である。
【図４】従来の第１実施例を示す側面断面図である。
【図５】従来の第２実施例を示す側面図である。
【図６】従来によるコップの掛け具への引っ掛け状態を示す正面図である。
【符号の説明】
【００１４】
７    流し台
８      水切り棚
９      掛け具（フック）
１０（１５）    コップ
１１（１６）    コップ本体
１１ａ（１６ａ）    口部
１２（１７）    把手
１２ａ（１７ａ）    上部円弧部
１２ｂ（１７ｂ）    下部円弧部（係止部）
１２ｃ（１７ｃ）    上端部
１２ｄ              下端部
１７ｄ              背面部
Ｇ１，Ｇ２      重心
Ｐ１            湾曲頂部
Ｐ２            湾曲外端部
【図１】
2006014912.tif 000003
【図２】
2006014912.tif 000004
【図３】
2006014912.tif 000005
【図４】
2006014912.tif 000006
【図５】
2006014912.tif 000007
【図６】
2006014912.tif 000008